(57)【要約】  【課題】横幅に比べて高さが高い扉板を有する展示ケースにおいて、扉板の取付け強度を確保しつつ軽快なスライドを確保する。  【手段】扉板３は前後動自在なレール装置１０で支持されている。扉板３は、レール装置１０に前後傾動可能に支持されている。扉板３の上端部は、天板４に固着したガイド部材１１によって前後離反不能でスライド可能に保持されている。レール装置１０を前進させると扉板３が後傾姿勢になることにより、扉板３はガイド部材１１で前倒れ不能に保持された状態で左右スライドし得る。【選択図】    図４
2006110248.tif 000002
【特許請求の範囲】
【請求項１】
床に置かれるベース部の上方を展示空間となし、展示空間の周囲を、ベース部に固定された壁板と、レール装置を介してベース部に水平スライド自在に支持された扉板とで囲い、かつ、壁板の上端には天板を固定しており、壁板と扉板とで構成された囲い板の少なくとも一部を透明板製とすることにより、展示空間を外側から人が視認することが許容されている展示ケースであって、
前記天板に、扉板の上端部を前倒れ不能に保持しつつスライドを許容するガイド部材が設けられている一方、
前記レール装置は、平面視で扉板のスライド方向と直交した前後方向に移動可能となるようにベース部に設けており、前記扉板を、前記レール装置に、扉板の上端部を天板に近ずけた状態でレール装置の前後動が許容されるように側面視で傾動可能に取付けている、
展示ケース。
【請求項２】
前記天板のガイド部材は、天板の上面に固定された水平片と扉板の前面に位置する垂下片とを備えた側面視Ｌ形に形成されており、ガイド部材の垂下片と天板の前端面との間の間隔寸法を、扉板が前後方向にガタ付き得る程度の寸法に設定しており、更に、前記ガイド部材の垂下片と扉板との接触面のうち少なくとも何れか一方に、扉板のスライドの摩擦抵抗を小さくするためのスライダーが設けられている一方、
前記ベース部には、レール装置を後退位置に保持することによって扉板の上端部を天板の前端面に密着させるロック手段が備えられている、
請求項１に記載した展示ケース。
【発明の詳細な説明】
【技術分野】
【０００１】
本願発明は、美術品類や商品等の各種物品の展示に用いる展示ケースに関するものである。
【背景技術】
【０００２】
展示ケースの一種として、平面視四角形でかつ周囲４面と天井部とをガラス板等の透明板製とした５面透過式のものがある。このタイプにおいて、下部は非透明材製のベース部によって構成されており、ベース部の上面が提示物の載置面となっている。また、展示空間の周囲を構成する４枚の壁板のうち３枚はベース部に固定されており、他の１枚は、展示空間の開閉のためレール装置を介してベース部にスライド自在に支持されている。すなわち、１枚の壁板は扉板になっている。
【０００３】
この５面透過式の展示ケースの従来技術としては、例えば特許文献１が存在している。この特許文献１では、扉板は常に直立状の姿勢が保持されるようにレール装置で支持されており、扉板の開閉に際しては、レール装置を全体として手前に引き出すか、又は、レール装置を平面視で傾斜させた姿勢にしている。従って、扉板はレール装置によって支持されているだけで、扉板の上端はフリーの状態になっている。                    
【特許文献１】特許第２７０９０２３号公報
【発明の開示】
【発明が解決しようとする課題】
【０００４】
前記特許文献１は、閉扉時及び開扉時の両方において扉板が直立した姿勢を保持していることを前提にして、扉板の開閉動を円滑に行えるようにするため、レール装置を手前に引き出したり水平旋回させたりしたものである。
【０００５】
しかし、扉板の上端部が支持されていないため、例えば閉扉状態で扉板の縁部に人や物が触れたり、半開き状態で展示品を出し入れするに際して扉板の裏面に人の展示ケースや展示物が触れたりというように、扉板の裏側に外力が作用すると、扉板にはその下部を中心にした大きなモーメントが作用するため、扉板の取付け箇所が破損したり変形したりする虞がある。
【０００６】
また、このタイプの展示ケースは、一般成人の身長と同じ程度かそれよりも高い高さのものが多いため、地震が発生すると扉板にはその下部を中心に前後回動させる大きなモーメントが発生する虞があり、この場合も扉板の取付け部の破損や変形を招来しやすいという問題があった。
【０００７】
本願発明は、このような現状を改善することを課題とするものである。
【課題を解決するための手段】
【０００８】
請求項１の発明の展示ケースは、基本構成として、床に置かれるベース部の上方を展示空間となし、展示空間の周囲を、ベース部に固定された壁板と、レール装置を介してベース部に水平スライド自在に支持された扉板とで囲い、かつ、壁板の上端には天板を固定しており、壁板と扉板とで構成された囲い板の少なくとも一部を透明板製とすることにより、展示空間を外側から人が視認することが許容されている。
【０００９】
そして、請求項１の発明では、前記天板に、扉板の上端部を前倒れ不能に保持しつつスライドを許容するガイド部材が設けられている一方、前記レール装置は、平面視で扉板のスライド方向と直交した前後方向に移動可能となるようにベース部に設けており、前記扉板を、前記レール装置に、扉板の上端部を天板に近ずけた状態でレール装置の前後動が許容されるように側面視で傾動可能に取付けている。
【００１０】
請求項２の発明は、請求項１において、前記天板のガイド部材は、天板の上面に固定された水平片と扉板の前面に位置する垂下片とを備えた側面視Ｌ形に形成されており、ガイド部材の垂下片と天板の前端面との間の間隔寸法を、扉板が前後方向にガタ付き得る程度の寸法に設定しており、更に、前記ガイド部材の垂下片と扉板との接触面のうち少なくとも何れか一方に、扉板のスライドの摩擦抵抗を小さくするためのスライダーが設けられている一方、前記ベース部には、レール装置を後退位置に保持することによって扉板の上端部を天板の前端面に密着させるロック手段が備えられている。
【発明の効果】
【００１１】
本願発明によると、レール装置が手前に移動すると扉板が直立姿勢から後傾動することにより、扉板の上端部をガイド部材で支持した状態を保持しつつ扉板のスライドが許容される。このため、扉板の裏側に外力が作用したり地震があったりしたときの扉板の破損や変形を防止又は著しく抑制しつつ、扉板をスムースに開閉させることができる。
【００１２】
請求項２のように構成すると、開扉状態では扉板の上端部を天板の前端面に密着させてシール性を確保しつつ、開扉状態では扉板を軽快にスライドさせることができるため、特に好適である。
【発明を実施するための最良の形態】
【００１３】
次に、本願発明の実施形態を図面に基づいて説明する。
【００１４】
(1).第１実施形態の概要
図１〜図４では第１実施形態を示している。図１うのち（Ａ）は閉扉状態の斜視図、（Ｂ）は開扉状態の斜視図であり、これら両図から理解できるように、展示ケースは、床に置かれる平面視四角形のベース部１と、ベース部１の上方に形成された展示空間の周囲を囲う３枚の壁板２及び１枚の扉板３と、３枚の壁板２の上端に固定された平面視四角形の天板４とを備えている。本明細書では、扉板３と対向した状態を基準にして前後・左右の用語を使用する。
【００１５】
各壁板２と扉板３と天板４とはそれぞれ強度と透明度とに優れたガラス板からなっており、隣合った壁板２は接着剤によって接着されており、ベース部１と壁板２と天板４とで前向きに開口した展示空間５が形成され、この展示空間５の開口部が水平スライド式（引き戸式）の扉板３で開閉される。
【００１６】
ベース部１の外周のうち扉板３との対向部分を除いた３面は化粧板６で囲われており、上面には展示品載置台（板）７が配置されている。また、扉板３の下部は、鏡板８が張られた支持体９に固定されており、支持体９は、図１（Ｃ）に概略を示すレール装置１０によって水平スライド自在に支持されている。他方、扉板３の上端部は天板４に固定されたガイド部材１１によって前倒れ不能でスライド自在にガイドされている。
【００１７】
レール装置１０は、ベース部１に取付けられた固定側レール１２と、扉板３の支持体９に取付けられた可動側レール１３と、両者に対してスライド自在に装着された中間レール１４とを備えたサスペンション方式であり、各レール１２，１３，１４はベース部１及び支持体９の左右横幅よりも僅かに短い寸法になっている。このため、扉板３は展示空間５の大部分を開口する状態まで開くことができる（最大に開いた状態で扉板３はガイド部材１１で保持されている。）。
【００１８】
支持体９における鏡板８の左右中間部でかつ下部には、後述するロック装置を操作するための操作穴（鍵穴）１５が空いている
(2).扉板支持機構の詳細
次に、図２以下の図面も参照して扉板３の支持機構の詳細を説明する。図２のうち（Ａ）は展示ケースの要部の縦断側面図、（Ｂ）はガイド部材１１を示す図、（Ｃ）を（Ａ）を矢印Ｃ方向から見た図、図３のうち（Ａ）は図１の III-III視断面図、（Ｂ）はレール装置１０の拡大断面図、（Ｃ）は（Ａ）の部分拡大図、図４は扉板３を手前に引き出した状態での図１のIV−IV視断面図である。
【００１９】
例えば図２（Ａ）（Ｂ）に示すように、ガイド部材１１は、天板４の上面に重なる水平片と扉板３の前面に位置する垂下片１１ａとで側面視横向きＬ字形に形成されている。ガイド部材１１とステンレス板のような金属板から成っており、水平片が接着剤で天板４の上面に固着されており、垂下片１１ａの内側面には、扉板３との摩擦係数を小さくするための合成樹脂製のスライダー１７を貼着している。また、天板４の前端面には軟質材からなるシール層１８を設けている。
【００２０】
シール層１８とスライダー１７との間の溝の間隔は、扉板３が若干ガタ付き得るように扉板３の板厚よりも若干の寸法（例えば１〜３ｍｍ程度）だけ大きく設定しており、このため、扉板３はその下部が手前に移動して後傾することが許容されている。
【００２１】
左右の壁板２の前端面にもシール層１８を設けている。このため、扉板３の背面を左右の壁板２と天板４との前端面に密着させることができて展示空間５のシール機能が格段を向でき、その結果、展示空間５の湿度を一定に保つ調湿機能も格段に向上できる。なお、各シール層１８は透明な素材を使用するのが好ましい。
【００２２】
ベース部１は、断面外向き開口コ字状の鋼材で平面視四角形に形成したメインフレーム１９を備えており、メインフレーム１９の左右側方及び後方は化粧板６で囲われ、手前側には扉板３の支持体９が配置されている。メインフレーム１９にはアジャスター２０が取付けられ、また、メインフレーム１９に固着した補強部材２０にキャスター２１を設けている。
【００２３】
メインフレーム１９の前部の中空部には、左右長手で断面後向き開口コ字状のレール受け２３が配置されており、このレール受け２３は、左右方向に間隔を空けて配置された複数個（一対）の支軸２４に固定されている。支軸２４は、メインフレーム１９に固定したブッシュ２５に前後摺動自在に嵌まっており、レール受け２３は所定のストロークで前後移動し得る。レール受け２３には、レール装置１０を構成する固定側レール１２がねじ止めによって固定されている。なお、レール装置１０を前後動自在に支持する支持手段は、他の構造でもよい。
【００２４】
扉板３の支持体９は、スペーサ２６を介して鏡板８に固定された側面視逆Ｌ形の第１支持板２７と、レール装置１０を構成する可動側レール１３がねじ等で固定された第２支持板２８とを備えており、図３（Ｃ）に拡大して示すように、第１支持板２７の上水平片２７ａを第２支持板２８の状態で支持している。扉板３は第１支持体２７と鏡板８にシール材（接着剤）で固定されている。
【００２５】
第１支持板２７における垂直部の上部には、第２支持板２８との間に若干の隙間を形成するためのスペーサ２９が固定されており、また、第１支持板２７の上水平片２７ａの下面には、第２支持板２８との離反を防止するためのストッパー３０が固定されている。第２支持板２８の上端面２８ａは、手前側に高くなるように傾斜している。これは、第１支持板２７の傾動を容易ならしめるためである。第２支持板２８の上端面の傾斜方向は逆向きでも良く、また、側面視山形や側面視上向き凸の円弧状に形成してもよい。
【００２６】
第１支持板２７の下部と第２支持板２８の下部とは、第２支持板２８に貫通して第２支持板２８にねじ込まれたボルト３１とこれに螺合したダブルナット３２によって抜け不能に保持されている。この場合、ボルト３１のうち第２支持板２８から露出した部分にワシッャー３３を介してばね（コイルばね）３４を抜け不能に被嵌している。
【００２７】
従って、扉板３は第１支持板２７から上下・前後・左右のいずれの方向にも離脱不能でかつ鉛直姿勢から若干の角度θ（例えば１〜２°程度）だけ後傾可能であり、更に、扉板３は図３（Ａ）に黒抜き矢印で示すように、スペーサ２９を支点にして前傾勝手になっている。ボルト３１は左右端部に２個配置している（勿論、他の個数でも良い）。
【００２８】
第１支持板２７を傾動可能でかつ離脱不能に支持する支持手段は図示した構成には限らず、例えば蝶番とストッパーとを使用するなどすることも可能であるが、図示した構成にすると構造が簡単になる利点がある。なお、可動側レール１３によって扉板３を傾動可能に支持することも可能である。
【００２９】
レール装置１０の詳細は図３（Ｂ）に示している。すなわち、本実施形態のレール装置１０は、上下２対ずつの固定側レール１２、中間レール１４、可動側レール１３を備えており、これら各レール１２，１３，１４の対はそれぞれ連結板３５，３６，３７で連結されている。
【００３０】
中間レール１４と固定側レール１２及び可動側レール１３との間には、リテーナ３８で保持されたボール３９の群が配置されている。本実施形態は、上下一対の複動式サスペンションレールを一体化したダブルサスペンションレール構造であり、このため、横幅に対して高さの比率が大きい扉板３を安定した状態でスライドさせることができる。
【００３１】
ベース部１を構成するメインフレーム１９の前部でかつ左右中間部には、箱形のブラケット４０を介してロック装置４１を配置している。ロック装置４１は、図示しない操作具による回転操作によってブラケット４０の上面から出没するロック杆４２を備えている。
【００３２】
閉扉状態ではロック杆４２が直立するとレール受け２３の前面に当接し、開扉状態でロック杆４２が直立すると、ロック杆４２が直立するとレール受け２３の背面に当接するように設定されている。既述のように、支持体９には、操作具を差し込むための操作穴１５が空いている。なお、ロック装置４１は、外部からのリモコン操作がロック杆４２が回動する電動式とすることも可能である。
【００３３】
(3).まとめ
図２（Ａ）に示すように、扉板３を閉じた状態でロック杆４２を直立させると、レール受け２３が後方に押されることにより、扉板３は左右動不能に保持されると共に、扉板３の前面は天板４及び左右壁板２におけるシール層１８に密着し、シール状態が保持される。このため、展示ケースの内部の湿度を一定に保持する調節機能が高い。また、扉板３の左右側縁に人が触れる等しても、扉板３が破損・変形することを防止又は著しく抑制できる。
【００３４】
ロックを解除して、例えば扉板３の支持体９の下端に手を当てて手前に引くと、扉板３とレール装置１０とが前進する。すると、扉板３の上端とガイド部材１１によって前向き動が規制されているため、扉板３は第２支持体９の上端を中心にして後傾動する。このため扉板３を開閉動することができる。
【００３５】
この場合、扉板３はばね３４によって前進し勝手に押されているため、扉板３の上端はガイド部材１１のスライダー１７に当接しており、このため、扉板３を軽快に開閉動させることができる。開閉動時に扉板３の上端はガイド部材１１に常に被嵌しており、このため、開閉時における扉板３の安定性も確保できる。
【００３６】
扉板３の開閉に際して扉板３が前後動すると危険である。従って、図４に示すように、レール装置１０は引き出した状態にロック装置４１で保持しておくのが好ましい。すなわち、操作具でロック杆４２を回動させてロックを解除してから、レール装置１０及び扉板３を手前に引き出し、次いで、ロック杆４２を逆回動させてレール装置１０の引き出し位置にロックし、それから扉板３を開閉操作したら良い。
【００３７】
(4).他の実施形態
図５〜図７では第２実施形態を示している。図５は要部の側断面図、図６は扉板の開閉を示す概略正面図、図７は図５の VII-VII視部分断面図である。
【００３８】
この実施形態はレール装置１０の構造が相違している。すなわち、この実施形態では、レール装置１０は、レール受け２３に回転自在に取付けられた上ローラ４４の群及び下ローラ４５の群と、扉板３の下端部の裏面に固着した可動側レール１３とから成っており、可動レール１３には、上下ローラ４４，４５の群が嵌まる上下のガイド溝４６，４７が形成されている。上ガイド溝４６の上端には下向きの抜け止め片４８が形成され、下ガイド溝４７の下端には上向きの抜け止め片４９が形成されている。
【００３９】
この実施形態では、上ローラ４４の群と上ガイド溝４６の底面との間に若干の間隔５０を空け、かつ、下ローラ４５の群と下ガイド溝４７の抜け止め片４８との間に若干の隙間５１を空けることにより、レール装置１０の前進動によって扉板３が後傾することを許容している。すなわち、本実施形態では、レール装置１０自体が扉板３の後傾動を許容する構造になっている。扉板３の鏡板８は接着剤で扉板３に直接に固定している。また、可動側レール１３には扉板３の受け片１３ａを設けている。
【００４０】
可動側レール１３の背面の左右中間部に後向きに突出する上下一対の可動ストッパー５２を設ける一方、レール受け２３の前面には、扉板３が半開き程度まで左右スライドすると可動ストッパー５２が当たる左右一対の固定ストッパー５３を突設している。ローラ群４４，４５を設けることに代えて、左右方向に長く延びる雄形レールを設けることも可能である。また、レール受け２３に溝形のレールを設けて、扉板３にローラの群又は雄形レールを設けることも可能である。
【００４１】
図８ではガイド部材１１の別例である第３実施形態及び第４実施形態を示してい。このうち（Ａ）に示す第３実施形態では、天板４の前端部の上面に固定ガイド体５４を接着等によって設ける一方、扉板３の上端面に、固定ストッパー５４に上方から嵌まる樋状の可動ガイド部材１１を固定している。
【００４２】
図８（Ｂ）に示す第４実施形態では、扉板３の上端部の上面を手前に行くに従って低くなるように傾斜状にカットする一方、ガイド部材１１には、扉板３の傾斜面と平行な傾斜部１１ｂを設けている。いうまでもないが、扉板３は傾動が許容されるように、上端部は若干の寸法だけ前後移動可能である。
【００４３】
(5).その他
本願発明は上記の実施形態に限定されるものではなく、様々に具体化できる。例えばレール装置は図示した構造のものの他に、他の多くの構造のものを採用できる。複数本のレールを上下に離反して設けることも可能である。
【００４４】
本願発明は５面透過式のものに限らず、壁板と扉板との前部が透明で天板が不透明なタイプ、壁板のみと天板とが透明で扉板は不透明なタイプ、壁板の背面部と扉板とが透明で他の部分は不透明なタイプなど、外周の外側から展示空間を視認できるようになっておれば良い。
【図面の簡単な説明】
【００４５】
【図１】(A)及び (B)は全体の斜視図、 (C)は開扉状態の部分的な正面図である。
【図２】(A)は展示ケースの要部の縦断側面図、 (B)はガイド部材を示す断面図、 (C)は (A)をＣの矢印方向から見た図である。
【図３】図３のうち（Ａ）は図１の III-III視断面図、（Ｂ）はレール装置１０の拡大断面図、（Ｃ）は（Ａ）の部分拡大図である。
【図４】扉板手前に引き出した状態での図１のIV−IV視断面図である。
【図５】第２実施形態の要部側断面図である。
【図６】扉板の開閉を示す概略正面図である。
【図７】図５の VII-VII視部分断面図である。
【図８】第３実施形態及び第４実施形態の断面図である。
【符号の説明】
【００４６】
１  ベース部
２  壁板
３  扉板
４  天板
５  展示空間
９  支持体
１０  レール装置
１７  スライダー
１８  シール層
２３  レール受け
２７  第１支持板
２８  第２支持板
【図１】
2006110248.tif 000003
【図２】
2006110248.tif 000004
【図３】
2006110248.tif 000005
【図４】
2006110248.tif 000006
【図５】
2006110248.tif 000007
【図６】
2006110248.tif 000008
【図７】
2006110248.tif 000009
【図８】
2006110248.tif 000010